(57)【要約】      （修正有）【課題】空状態コンテナの移動・輸送の効率を向上させると共に、空状態のコンテナの長期保管に対するヤードの有効な運用を可能にするコンテナを提供する。【解決手段】空状態で展開するコンテナを、折り畳んで嵩を縮小することで、ヤード機能の改善と共に、必要に応じた空状態コンテナの移動・輸送も１台のトレーラーで複数台が１度に積載輸送できる効率のよい構造の構成手段を講じた。【選択図】図１
2014125279.tif 000002
【特許請求の範囲】
【請求項１】
輸送用大型コンテナ展開形状の空状態時に、床部分の上面に妻扉部分・妻枠部分を（以下其其の丁番を介して）倒し込み順次、屋根部分は側壁部分と床部分を丁番を介して連結連動して、外部補強材にガイドされながら、提灯を畳む様に降下して、全体の嵩を平面に積み重ね低くコンパクトに折り畳み再度、展開の構成機能を特徴とする、折り畳み可能な輸送用大型コンテナ。
【請求項２】
折り畳み可能なコンテナに於いて、床部分・屋根部分の操作・作業に係わる接合部分は全て既設のコンテナと同じ構造の構成で、国際基準の設備の操作・作業に適合する構成を特徴とする請求項１に記載の、折り畳み可能な輸送用大型コンテナ。
【発明の詳細な説明】
【技術分野】
【０００１】  本発明は輸送用大型コンテナ（約、妻面巾２、４ｍ×高さ２、８ｍ×長さ適宜）に関するものである。
【背景技術】
【０００２】  従来から、主に輪出入の物資を積載しての輸送手段にコンテナを容器として繰り返し利用してている。【０００３】  積載した物資への外部からの弊害をコンテナでガード、軽減して安全に輸送されている。【０００４】  物資を積載して専用船舶・トレーラーでの輸送・配達の後、帰り便で空状態のコンテナを持ち帰り、透かさず次に物資の積載を効率よく回転することが理想である。【０００５】
【特許文献】  特開２００２−２６４９９３
【発明の概要】
【発明が解決しようとする課題】
【０００６】  しかしながら上述のように、コンテナに物資を積載輸送して目的地で降ろして空状態になった該コンテナは、ヤード等に持ち帰り、短期の保管で再度物資を積載・輸送が理想であるが、諸々の事情で世界中のコンテナヤード等に空状態になったコンテナが、長期保管されている現状に課題がある。【０００７】  上記の事情でヤードに長期保管になったコンテナ（高く積み重ね）が大きなスペースを占める等の課題がある。【０００８】  特開２００２−２６４９９３によると、（以下丁番を介して）コンテナの折り畳み床部分中央を山折りにアコーディオンの様に尚、屋根部分の中央を谷折りに畳んでの幅を縮小してのメリットは、空状態のコンテナの保管や複数台を積載して引き上げる輸送の軽減にあるが、折り畳んで縦に立った状態での輸送の荷造等は困難な上不、安定で尚、横積みは自動車の荷台からはみ出す（不可能）等メリットが少ないと言う課題がある。【０００９】  更に、国際基準のコンテナを扱う施設に設置されている設備に、縦折りに畳んだコンテナ状態では操作・作業に適合しない不都合な課題がある。【００１０】  上記と同じく、縦に折り畳んだ状態では輸送時の専用船舶・トレーラーのコンテナ固定金具にも適合しない課題がある。【００１１】  床部分を山折り、屋根部分を谷折りにアコーディオンの様にコンテナの幅（嵩）を小さくしているので、そのまま立った状態でのヤード保管にも上記説明の様に自動車輸送時と同じく転倒の懸念等の不安定な課題がある。
【課題を解決するための手段】
【００１２】  本発明の折り畳み可能な輸送用大型コンテナを以下図面に基づき詳説する。本体２０の空状態の展開形状時に、床部分１上面に妻扉分５−５’妻枠１３−１３’を（以下其其に丁番６を介して）倒し込み、順次屋根部分２は側壁部分３−３’４−４’と、床部分１に連結連動して、外部補強材９にガイドされながら提灯を畳む様に折降下させ、床１と屋根２の間に側壁３−３’４−４’妻枠５と共に扉７−７’を平面に積み重ねて挟み込み全体の嵩を低くコンパクトに縮小、上記の逆の操作で再び展開する構成手段を講じた。【００１３】  床部分１・屋根部分２の接合部分は全て既設コンテナの接合部分と同じ構造で、既設の設備に操作・作業の国際基準に適合する様に構造手段を講じた。【００１４】  コンテナ本体２０開展時の側壁３−３’４−４’の折り畳みによる（折れ目箇所）強度の弱点を、妻扉枠１３及び外部補強材１０で補強する構成手段を講じた。
【発明の効果】
【００１５】  諸々の事情で空のコンテナ状態での保管も、嵩を小さくすることでヤード等の有効な運用にも効果がある。【００１６】  上記の状態で複数保管のコンテナから、必要に応じて複数台を１度に効率よく輸送出来、輸送事業全般に齎す経済的な効果は大である。【００１７】  嵩を低く縮小したコンテナ形状の重ね積みも当然可能である。
【図面の簡単な説明】
【００１８】
【図１】展開時の斜視図である。
【図２】屋根・床面の平面図である。
【図３】折り畳み縮小・展開の過程を示す側断面図である。
【図４】縮小過程時を示す妻断面図である。
【図５】縮小時を示す側断面図である。
【発明を実施するための形態】
【実施例】
【００１９】  本発明の１実施例を詳説する、図１は折り畳み可能なコンテナ本体２０の展開時の形態から、ロック１０を解除して、クレーンでワイヤーロープ等を操り、図４に示す様に適所に配した丁番６を介して妻面及び対象面の扉９−９’枠５を床部分１に倒し込み順次、屋根部分２を補強金具１０のガイドで降下しながら、連動して図３に示すように側壁部分３−３’−４−４’が、図５状態に（提灯を畳む様に）積み重ねて折り畳まれ該、説明の逆の作業工程で屋根部分２を上昇させロック１０を施して、コンテナ展開機能の図１に戻る事を、再度繰り返す様に構成されている。【００２０】  尚、コンテナ内の気密を保つために、丁番の折れ目・開口部枠の透き間にバッキンを挟み込む構造て構成されている。
【符号の説明】  １            床部分
２            屋根部分
３−３’      側壁部分
４−４’      側壁部分
５            枠
６            其其・適所の丁番
７−７’      扉
８            輸送時のトラック等との連結（固定）部分
９            外部補強部品
１０            外部補強部品ロック金具
１１            外部補強部品ガイド金具
１２            パッキン
２０            コンテナ本体
【図１】
2014125279.tif 000003
【図２】
2014125279.tif 000004
【図３】
2014125279.tif 000005
【図４】
2014125279.tif 000006
【図５】
2014125279.tif 000007
【手続補正書】
【提出日】平成25年4月11日(2013.4.11)
【手続補正１】
【補正対象書類名】明細書
【補正対象項目名】全文
【補正方法】変更
【補正の内容】
【発明の詳細な説明】
【技術分野】
【０００１】  本発明は輸送用大型コンテナ（妻面巾８フィ−ト×高さ８フィ−ト６インチ×長さ２０、４０フィ−ト）に関するものである。
【背景技術】
【０００２】  従来から、主に輪出入の物資を積載しての輸送手段に、コンテナを容器として繰り返し利用している。【０００３】  積載した物資への外部からの弊害をコンテナでガ−ド、軽減して安全に輸送されている。【０００４】  物資を積載して専用船舶・トレ−ラ−での輸送・配達の後、帰り便で空状態のコンテナを持ち帰り、透かさず次に物資の積載を効率よく回転することが理想である。【０００５】
【特許文献】  特開２００２−２６４９９３
【発明の概要】
【発明が解決しようとする課題】
【０００６】  しかしながら上述のように、コンテナに物資を積載輸送して目的地で荷降ろしして空状態になった該コンテナは、ヤ−ド等に持ち帰り、短期の保管で再度物資を積載・輸送が理想であるが、諸々の事情で世界中のコンテナヤ−ド等に空状態になったコンテナが、長期保管されている現状に課題がある。【０００７】  上記の事情でヤ−ドに長期保管になったコンテナ（高く積み重ね）が大きなスペ−スを占める等の課題がある。【０００８】  特開２００２−２６４９９３によると、（以下丁番を介して）コンテナを折り畳み床部分中央を山折りにアコ−ディオンの様に尚、屋根部分の中央を谷折りに畳んでの幅を縮小してのメリットは、空状態のコンテナの保管や複数台を積載して引き上げる輸送の軽減にあるが、折り畳んで縦に立った状態での輸送の荷造等は困難な上、不安定でしかも、横積みは自動車の荷台からはみ出す（不可能）等デメリットが多いと言う課題がある。【０００９】  更に、国際基準のコンテナを扱う施設に設置されている設備に、縦折りに畳んだコンテナ状態では操作・作業に適合しない不都合な課題もある。【００１０】  上記と同じく、縦に折り畳んだ状態では輸送時の専用船舶・トレ−ラ−のコンテナ固定金具にも適合しない課題がある。【００１１】  床部分を山折り、屋根部分を谷折りにアコ−ディオンの様にコンテナの幅（嵩）を小さくしているので、そのまま立った状態でのヤ−ド保管にも上記説明の様に自動車輸送時と同じく転倒の懸念等の不安定な課題がある。
【課題を解決するための手段】
【００１２】  折り畳み可能な輸送用大型コンテナに於いて、本発明を以下図面に基づき詳説する。展開（扉を開いて作業時を含む）コンテナ形状−２０機能維持の為に、妻面開口扉−７妻面壁等−７’の外周囲に設けた枠−５・−５’の構造作用上（樽の底・鏡板をはめこむように）、側壁−３・３’側壁−４・４’が制御（中央丁番−６部分が外側に押されて）され丁番−６を介して直立してコンテナ機能形状が維持する構成手段を講じた。次に上記説明の妻面外周囲枠−５・５’を床−１の両端縁丁番−６を介し倒し込み、側壁−３・３’側壁−４・４’の上記の制御が解除され、中央丁番部分が内側に膨らみ順次床−１から丁番−６を介して連結連動の側壁−３・３’側壁−４・４’の、屋根−２を頂点に提灯を折り畳む様に降下させ、平面に積み重ねて（上記、扉・壁・を含む妻面外周枠）挟み込み嵩を低くコンパクトに収納尚、上記の逆の操作で再びもとの展開コンテナ機能に戻る構成手段を講じた。【００１３】  床−１・屋根−２の接合部分は全て既設コンテナの接合部分と同じ基準構造で、既設設備に操作・作業が国際基準に適合する様に構造手段を講じた。【００１４】  コンテナ本体−２０展開時の側壁−３・３’側壁−４・４’の折り畳みによる（折れ目箇所の腰抜け状態）構造上の弱点を、妻扉枠−５に添って外部補強材−１０と共に補強する構成手段を講じた。
【発明の効果】
【００１５】  諸々の事情で空のコンテナ−本体２０状態での保管も、嵩を小さくすることでヤ−ド・製造在庫等の有効なスペ−ス運用にも効果がある。【００１６】  上記の状態で複数台の保管コンテナ−２０から、必要に応じて複数台を１度に効率よく輸送出来、輸送事業全般に齎す経済的な効果は大である。【００１７】  コンテナ−２０本体の製造工程での在庫・出荷後の空状態時の縮小−図５の様に金具−１１でのロックした形状の重ね積みも可能で作業スペ−スの有効利用効果は大である。
【図面の簡単な説明】
【００１８】
【図１】（以下該、コンテナの）展開時の斜視図。
【図２】屋根・床面の平面図。
【図３】折り畳み縮小・展開の過程を示す側断面図。
【図４】縮小過程時を示す妻断面図。
【図５】縮小時を示す妻断面図。
【図６】形成展開時の妻面部分の水平方向断面拡大図。
【発明を実施するための形態】
【実施例】
【００１９】  本発明の１実施例を詳説する。図１は折り畳み可能なコンテナ本体−２０の展開時の形態から、壁ロック−１０・枠−５を（図示せず）解除して、クレ−ンでワイヤ−ロ−プ等を操り、図４に示す様に適所に配した丁番−６を介して妻面及び対象面の扉等−９・９’と一体の枠−５を床−１面に倒し込み順次、屋根−２を降下しながら、連動して図３に示すように側壁−３・３’側壁−４・４’が、図５の状態に（提灯を畳む様に）積み重ねて折り畳まれ嵩を縮小。又、説明の逆の作業工程で屋根−２を上昇させロック−１０を施して、コンテナ展開−２０機能の図１に戻る事を、再度繰り返す様に構成されている。【００２０】  荷役時は、枠−５の作用効果で扉−７を開いても、コンテナ本体−２０の展開形状の強度上の安全等も既設コンテナ−２０と同等である。【００２１】  尚、長さ４０フィ−トのコンテナに於いて、床−１屋根−２側壁−３・３’側壁−４・４’の強度不足に懸念がある場合該、コンテナの長さ方向中央床−１部分に丁番６を介して枠−５を設置（図示せず）、両端の枠−５と同じく、枠−５の開・閉移動動作は例えば、ワゴン自動車等の後部の屋根の丁番を介しての開・閉するドアの重量バランスをバランサ−ロットの作用で該、枠−５も同様に手動で容易に開・閉するものである。【００２２】  尚、コンテナ−２０内の気密を保つために、丁番−６の折れ目・開口部枠−５等の透き間に、パッキン−１２を挟み込む構造で構成されている。【００２３】  コンテナ−２０の高さが約８フィ−ト６インチ以上必要な場合、側壁−３側壁３’・４・４’の縦方向を適切に大きくして、該、側壁−３と側壁−４を上・下に相互に交差して折り畳む構造にするものである。
【符号の説明】
【００２４】  １        床
２        屋根
３・３’−４・４’    側壁
５        枠
６        其其の丁番
７・７’  扉を含む妻側壁面
８・      輸送時のトラック等との連結（固着）部分
９        外部補強部品
１０        外部補強部品・ロック金具
１１        コンテナ−２０を折り畳み時のロック金具
１２        パッキン
２０        展開状態のコンテナ本体
【手続補正２】
【補正対象書類名】図面
【補正対象項目名】全図
【補正方法】変更
【補正の内容】
【図１】
2014125279.tif 000008
【図２】
2014125279.tif 000009
【図３】
2014125279.tif 000010
【図４】
2014125279.tif 000011
【図５】
2014125279.tif 000012
【図６】
2014125279.tif 000013
【手続補正３】
【補正対象書類名】特許請求の範囲
【補正対象項目名】全文
【補正方法】変更
【補正の内容】
【特許請求の範囲】
【請求項１】
輸送用大型の側壁を提灯のように折り畳み可能なコンテナに於いて、コンテナ展開形状−２０維持の為に、妻面開口扉−７妻面壁等−７’の外周囲に設けた枠−５・５’の構造上の作用で、側壁−３・−３’側壁−４・４’が制御され丁番−６を介して直立してコンテナ形状機能が維持する構成で次に、上記説明の妻周囲枠−５・５’を、床−１上の両端縁の丁番−６を介して倒し込み側壁−３・３’側壁−４・４’の上記制御は解除され順次、床−１から丁番を介して連結連動の、側壁−３・３’側壁−４・４’の屋根−２を頂点に折り畳む様に降下させ、嵩を平面に積み重ね低くコンパクトに折り畳み収納、再度、逆の操作でもとの展開コンテナ機能に戻る構成を特徴とする、折り畳み可能な輸送用大型コンテナ。
【請求項２】
折り畳み可能なコンテナに於いて、床−１・屋根−２の操作・作業に係わる接合部分等は、全て既設のコンテナと同じ構造機能の構成で、国際基準の設備の操作・作業に適合する構成を特徴とする，請求項１に記載の、折り畳み可能な輸送用大型コンテナ。